(57)【要約】      （修正有）【課題】音響機器のヘッドホン，またはイヤホンとしても活用出来る，小型，軽量，低価格な音声通知時計を実現する。【解決手段】音声時計に年，月，日，時，分などを設定する場合に，設定する項目，項目順序，桁数，ならびに桁順序を指定して，設定するためのスイッチを操作することにより，指定された項目順，桁順に，一桁ずつ，音声機能から順次読み出される音声数値を確認し，各項目に適合する数値を設定するタイプ，ならびに前記するタイプに，文字や数値を表示する液晶表示器などの表示機能を保有させず，小型，軽量化を図り，耳への装着構造を備えたタイプ，および前記する二つのタイプそれぞれに，音響機器などに接続する音声の入出力回路，端子を備えた小型，軽量，低価格な音声通知時計。【選択図】図１
0003138042.tif 000002
【実用新案登録請求の範囲】
【請求項１】
音声で時刻を通知する音声時計における時刻設定などにおいて，年，月，日，時，分などの各項目に数値を設定する構成に関し，設定する項目，項目順序，桁数，ならびに桁順序を指定して記憶する手段，数値を設定するためのスイッチ，および設定した数値を記憶する手段を備え，スイッチを操作することにより，指定された項目順，桁順に一桁ずつ，音声機能から順次読み出される音声数値を確認し，適合する数値を設定し記憶させる，小型，軽量，低価格な音声通知時計。
【請求項２】
文字，数値などを表示する液晶表示器などの表示機能を有さず，耳への装置構造を備える，請求項１に記載する，小型，軽量，低価格な音声通知時計。
【請求項３】
音響機器などと接続する音声の入出力回路，端子を備える，請求項１，ならびに請求項２に記載する，小型，軽量，低価格な音声通知時計。
【考案の詳細な説明】
【技術分野】
【０００１】音声時計に年，月，日，時，分などを設定する場合に，設定する項目，項目順序，桁数，ならびに桁順序を指定して，指定するためのスイッチを操作することにより，指定された項目順，桁順に一桁ずつ，音声機能から順次読み出される音声数値を確認し，各項目に適合する数値を設定，記憶させるタイプ，ならびに前記するタイプに耳への装着構造を備えた小型，軽量なタイプ，および前記する二つのタイプそれぞれに，音響機器などに接続する音声の入出力回路，端子を備えた小型，軽量，低価格な音声通知時計。
【背景技術】
【０００２】一般的な音声時計は，液晶表示器などの表示機能と音声機能とを合わせ持っているため，普通の時計に音声機能が追加された構成になっている。従って，年，月，日，時，分などを設定する場合は，音声により設定方法などをガイドする機能は備えているものの，数値の設定自体は音声にはよらず，液晶表示器などの表示機能を利用して行うため，視力に難点を持つ人にとっては困難さが有るとともに，液晶表示器などの表示機能を保有することにより，普通の時計より部品点数が多く，大型となるため耳に装着するには適さない。また，音量調節での最大音量より大きな音や，耳装着タイプでは通知時刻などを周囲で聞くことは出来ない。
【考案が解決しようとする課題】
【０００３】音声時計を必要とする，視力に難点を持つ人にとって極めて有効な，音声数値により年，月，日，時，分などを設定するタイプ，ならびに前記するタイプに，小型化，軽量化を図り，耳への装着構造を備えたタイプ，および前記する二つのタイプそれぞれに，設定すべき音声数値や通知時刻をより大きな音で聞くことが出来，かつ耳への装着タイプでは，周囲で音声数値や通知時刻を聞くことが出来るとともに，音響機器のヘッドホン，またはイヤホンとしても活用出来る，小型，軽量，低価格な音声通知時計を実現する。
【課題を解決するための手段】
【０００４】音声時計に年，月，日，時，分などを設定する場合に，設定する項目，項目順序，桁数，ならびに桁順序を指定して，設定するためのスイッチを操作することにより，指定された項目順，桁順に一桁ずつ，音声機能から順次読み出される音声数値を確認し，各項目に適合する数値を設定，記憶するタイプ，ならびに前記するタイプに，文字や数値を表示する液晶表示器などの表示機能を保有させず，小型，軽量化を図り，耳への装着構造を備えたタイプ，および前記する二つのタイプそれぞれに，音響機器などに接続する音声の入出力回路，端子を備えた小型，軽量，低価格な音声通知時計。
【考案の効果】
【０００５】音声時計が備えている音声機能から，年，月，日，時，分などの各設定項目に設定するための数値を音声数値で順次読み出して確認し，適合する数値を設定，記憶することにより，音声時計を必要とする視力に難点を持つ人にとって有効であるタイプ，ならびに，前記するタイプに，文字や数字を表示する液晶表示器などの表示機能を保有させず，小型，軽量化を図り，耳への装着構造を備えたタイプ，および前記する二つのタイプそれぞれに，音響機器などに接続する音声の入出力回路，端子を備えることにより，数値音声や通知時刻をより大きな音で聞くことが出来る。また，耳への装着タイプで数値を設定する場合に，耳に装着せずにスイッチを見ながら設定できるとともに，周囲で通知時刻を聞くことが出来る。さらに，音響機器のヘッドホン，またはイヤホンとしても活用することが出来るなど，利用範囲が極めて広い，小型，軽量，低価格な音声通知時計。
【考案を実施するための最良の形態】
【０００６】請求項２のタイプを事例として考案の実施の形態を説明する。図１に，文字や数値を表示する液晶表示器などの表示機能を保有せず，耳への装着に適した音声通知時計の概観図を示す。時計部１，音声拡声部２，耳掛け部３，ならびに４，５，６は各種スイッチ，７は音響機器などに接続する音声の入出力端子を示す。図２に時計部の概略回路構成図を示す。音声制御回路８，音声通知部１２，音声ＲＯＭ９，ならびに各設定項目に数値を設定するための選択１３，設定１４の二個のスイッチ，ならびに時刻１５，アラーム１６，通知１７など三個のスイッチで構成され，音響機器などへの入出力回路は音声制御回路８に含まれる。【０００７】設定に関係する音声数値はデジタル化されて音声ＲＯＭ９に書き込まれており，必要に応じて音声制御回路８に読み出されて各種の処理がなされ，駆動回路１０で所要増幅され，音量調節１１で通知音量を調節して音声通知部１２の拡声機能により通知される。年，月，日，時，分などの，各設定項目に数値を設定する，選択スイッチ，設定スイッチ，時刻を設定する時刻スイッチ，アラーム時刻を設定するアラームスイッチ，ならびに現在時刻，設定されたアラーム時刻までの経過時間，残り時間などを通知する通知スイッチが配置されている。【０００８】設定項目や順序などは予め指定されて音声制御回路の記憶部に記憶されており，大項目順，年は西暦で４桁，月，日，時，分は二桁，２４時間表示，設定は上桁から順に行われ，時刻スイッチを一回押下すると，年，月，日，時，分を設定項目として，各設定項目に順次数値を設定するモードとなり，二回連続押下すると，年，月，日を飛ばして，時，分を設定項目として，各設定項目に数値を順次設定するモードとなる。アラームスイッチを一回押下すると，アラーム時刻の時，分の各設定項目に数値を順次設定するモードとなる。通知スイッチは一回押下すると現在時間，二回連続押下するとアラーム設定時刻までの残り時間，三回連続押下するとアラームを設定した時刻からの経過時間を音声通知する。【０００９】図３にアラームスイッチを押下して５時２３分の設定を行う手順を示し，選択スイッチを押下する度に，ゼロ，イチ，ニ，サン，シ，ゴ，ロク，シチ，ハチ，キュウと音声数値が順次通知され，所定の数値の通知中，または次の選択スイッチを押下する以前に，設定スイッチを押下することにより，適合した数値が音声制御回路の記憶部に設定，記憶される。また，余白は設定スイッチを二回連続押下して設定する。このようにして，時の二桁の設定が終わると，分の二桁の設定に移行し，分の設定が終わると全ての設定が完了したとみなす。【００１０】図４に，図３とは異なるアラーム時刻の設定手順例を示し，選択スイッチを押下すると，所定の時間間隔で（ゼロ，ポーズ），（イチ，ポーズ），（ニ，ポーズ）と所定のポーズを挟みながら，音声数値の通知が順次進行するため，それぞれの音声通知中または空白のポーズ内に設定スイッチを押下することにより，適合した数値が音声制御回路の記憶部に設定，記憶される。また，余白は設定スイッチを二回連続押下して設定する。このようにして，時の二桁，ならびに分の二桁の設定が終わると全ての設定が完了したとみなす。【００１１】通知スイッチは押下する回数により，現在時刻，アラーム設定時刻までの残り時間，ならびに経過時間を音声通知するとともに，定刻通知や，アラーム設定状態では，一定の間隔ごとに残り時間を通知するなど，液晶表示器などの表示機能を保有しない弱点を補う対策がなされる。また，何れの設定においても，例えば設定の桁数などが異なる場合や，選択スイッチ，設定スイッチの押下するタイミングが相違する場合などは，音声で相違を通知するとともに，正常に設定が行われたときには，設定結果を音声で通知するなど使い勝手の配慮がされる。一個のスイッチで数値を選択，設定する場合は，選択スイッチと設定スイッチを兼ねさせて，スイッチの押す回数を一回押下すれば選択，二回連続押下すれば設定，三回連続押下すれば余白設定と判断する構成とする。また，それぞれのスイッチを所定時間以上押下し続けた場合は，そのスイッチに関係する諸機能，数値がクリアされる。
【実施例】
【００１２】請求項２の音声拡声部は半径１５ｍｍ，スイッチは５個で構成した。耳に装着しない請求項１のタイプでは，全体のサイズならびにスイッチのサイズを適度に大きくするとともに，スイッチの数も増やして操作性を高める構成をとる。設定する項目，項目順序，桁数，ならびに桁順序は予め指定されて記憶されているが，スイッチ操作などにより，任意に指定する構成も可能である。アラーム時刻５時２３分の設定例を二通り提示したが，設定手順はこの例に限定されるものではなく，種々の方法が考えられる。音響機器とはミニジャツクによりケーブルで相互に接続する。また，音声数値の読み方などは音声通知時計で使用する数値の表現に合わせる。常時耳に装着しない請求項１のタイプでは定刻，アラーム時刻などをＬＥＤにより点灯表示することも有効であるなど，各種のサイズ，スイッチの数，保有する機能，操作方法，などに関しては，考案の範囲を逸脱しない範囲であれば種々変形実施が可能である。
【図面の簡単な説明】
【００１３】
【図１】耳への装着に適した音声通知時計の概観図を示す。
【図２】音声通知時計部の概略回路構成図を示す。
【図３】アラーム時刻５時２３分の設定を行う手順を示す。
【図４】アラーム時刻５時２３分の設定を行う第二の手順を示す。
【符号の説明】
１  時計部
２  音声拡声部
３  耳掛け部
４  スイッチ
５  スイッチ
６  スイッチ
７  音声入出力端子
８  音声制御回路
９  音声ＲＯＭ
１０  駆動回路
１１  音量調節
１２  音声通知部
１３  選択スイッチ
１４  設定スイッチ
１５  時刻スイッチ
１６  アラームスイッチ
１７  通知スイッチ
【図１】
0003138042.tif 000003
【図２】
0003138042.tif 000004
【図３】
0003138042.tif 000005
【図４】
0003138042.tif 000006